(57)【要約】【課題】  袖壁用笠木同士のなす角度が異なっても笠木同士の継ぎ目部分に隙間無く覆うように取付けることができる。【解決手段】  袖壁１の外端面に取付けられる袖壁用笠木２の長手方向の端部同士の継ぎ目部分に取付けられる袖壁用笠木２の継ぎ目用化粧材３である。両袖壁用笠木２の長手方向の端部間に配置されて一方の袖壁用笠木２に固定するための固定部４と、裏面中央部に固定部４の上端部が一体に連設され且つ両端部がそれぞれ隣接する袖壁用笠木２の長手方向の端部外面に弾接するための弾接部５となった山形又は弧状をした覆い片部６とを弾性を有する硬質合成樹脂により一体に形成する。【選択図】      図１
2005281977.tif 000002
【特許請求の範囲】
【請求項１】
袖壁の外端面に取付けられる袖壁用笠木の長手方向の端部同士の継ぎ目部分に取付けられる袖壁用笠木の継ぎ目用化粧材であって、両袖壁用笠木の長手方向の端部間に配置されて一方の袖壁用笠木に固定するための固定部と、裏面中央部に固定部の上端部が一体に連設され且つ両端部がそれぞれ隣接する袖壁用笠木の長手方向の端部外面に弾接するための弾接部となった山形又は弧状をした覆い片部とを弾性を有する硬質合成樹脂により一体に形成して成ることを特徴とする袖壁用笠木の継ぎ目用化粧材。
【請求項２】
固定部が弾性変形自在なＬ状をしていてＬ状の一片部が先端が覆い片部の裏面中央に一体に連設した袖壁用笠木の長手方向の端面に固定するための第１の固定片部となり、Ｌ状の他片部が第１の固定片部の他端から側方に連出した袖壁用笠木の長手方向の端部の内面に固定するための第２の固定片部となっていることを特徴とする請求項１記載の袖壁用笠木の継ぎ目用化粧材。
【請求項３】
覆い片部の両端部の弾接部の先端から弾接部の裏面側に軟質合成樹脂よりなるひれ片を連出して成ることを特徴とする請求項１又は請求項２記載の袖壁用笠木の継ぎ目用化粧材。
【発明の詳細な説明】
【技術分野】
【０００１】
本発明は、階段などの袖壁の外端面に取付けられる袖壁用笠木の端部同士のなす継ぎ目部分に取付けられる袖壁用笠木の継ぎ目用化粧材に関するものである。
【背景技術】
【０００２】
従来から階段などの袖壁１の外端面には上面側の外端面、側端側の外端面にそれぞれ袖壁用笠木２を取付けられる。この袖壁用笠木２の長手方向の端部同士継ぎ目は、例えば、図７、図８のように袖壁用笠木２の長手方向の切断端部同士を突き合わせるようにしているが、図７、図８に示すように袖壁１の上面の傾斜が現場ごとに異なるので、突き合わせ部分の切断端部の傾斜がそれぞれ異なり、加工が面倒であり、しかも、袖壁用笠木２の長手方向の切断端部同士の突き合わせ部分が外部に露出するため突き合わせ部分にほこり等が詰まり、汚くなるという問題がある。
【０００３】
また、袖壁の上面側の外端面において袖壁用笠木の端部同士の継ぎ目部分を断面コ字状をしたカバーにより覆うようにしたものが特許文献１により知られている。
【０００４】
ところが、この特許文献１に示された従来例においては、袖壁用笠木同士が一直線状に施工される部分における継ぎ目部分をカバーで覆うことが開示してあるのみで、同一のカバーで袖壁用笠木同士のなす角度が異なる場合には同一のカバーでは対応することができないという問題がある。
【特許文献１】実開平６−１４３３２号公報
【発明の開示】
【発明が解決しようとする課題】
【０００５】
本発明は上記の従来の問題点に鑑みて発明したものであって、袖壁用笠木同士のなす角度が異なっても笠木同士の継ぎ目部分に隙間無く覆うように取付けることができる笠木の継ぎ目用化粧材を提供することを課題とするものである。
【課題を解決するための手段】
【０００６】
上記課題を解決するために本発明に係る笠木の継ぎ目用化粧材は、袖壁１の外端面に取付けられる袖壁用笠木２の長手方向の端部同士の継ぎ目部分に取付けられる袖壁用笠木２の継ぎ目用化粧材３であって、両袖壁用笠木２の長手方向の端部間に配置されて一方の袖壁用笠木２に固定するための固定部４と、裏面中央部に固定部４の上端部が一体に連設され且つ両端部がそれぞれ隣接する袖壁用笠木２の長手方向の端部外面に弾接するための弾接部５となった山形又は弧状をした覆い片部６とを弾性を有する硬質合成樹脂により一体に形成して成ることを特徴とするものである。
【０００７】
しかして、本発明の継ぎ目用化粧材３は、固定部４を一方の袖壁用笠木２の長手方向の端部に固定し、山形又は弧状をした覆い片部６が弾性変形して両端部の弾接部５をそれぞれ袖壁用笠木２の外端面に弾接することで、袖壁用笠木２同士のなす角度が異なっても同一種類の継ぎ目用化粧材３により袖壁用笠木２同士の継ぎ目を綺麗に仕舞うことができるものであり、また、継ぎ目用化粧材３を使用することで、袖壁用笠木２の長手方向の端部同士を突き合わせる必要がないので、袖壁用笠木２同士のなす角度に応じて袖壁用笠木２の長手方向の端部を斜めに切断する必要がないものである。
【０００８】
また、固定部４が弾性変形自在なＬ状をしていてＬ状の一片部が先端が覆い片部６の裏面中央に一体に連設した袖壁用笠木２の長手方向の端面に固定するための第１の固定片部７となり、Ｌ状の他片部が第１の固定片部７の他端から側方に連出した袖壁用笠木２の長手方向の端部の内面に固定するための第２の固定片部８となっていることが好ましい。
【０００９】
このような構成とすることで、袖壁用笠木２同士のなす角度に応じて、第１の固定片部７と第２の固定片部８のいずれかを選択して一方の袖壁用笠木２の長手方向の端面又は長手方向の内面に固定することができ、これにより袖壁用笠木２同士のなす角度に応じて固定部４の最適の取付けができることになる。
【００１０】
また、覆い片部６の両端部の弾接部５の先端から弾接部５の裏面側に軟質合成樹脂よりなるひれ片９を連出することが好ましい。
【００１１】
このような構成とすることで、弾接部５が袖壁用笠木２の外端面に弾接した場合に軟質合成樹脂よりなるひれ片９を介して弾接することになって、弾接部分が隙間無く密着し、この部分にほこりが入ったりすることがないものである。
【発明の効果】
【００１２】
本発明は、袖壁用笠木同士のなす角度が異なっても同一種類の継ぎ目用化粧材により袖壁用笠木同士の継ぎ目を隙間無く綺麗に仕舞うことができ、また、継ぎ目用化粧材を使用することで、袖壁用笠木の長手方向の端部同士を突き合わせる必要がないので、袖壁用笠木同士のなす角度に応じて袖壁用笠木の長手方向の端部を斜めに切断する必要がないものである。
【発明を実施するための最良の形態】
【００１３】
以下、本発明を添付図面に示す実施形態に基いて説明する。
【００１４】
図１、図２には本発明の継ぎ目用化粧材３が示してある。継ぎ目用化粧材３の本体部分を構成する化粧材本体１０は弾性を有する硬質合成樹脂により形成してある。化粧材本体１０は固定部４と、該固定部４の上端部に一体に設けた中央が高く且つ両側が低くなった山形又は弧状をした覆い片部６とで構成してある。固定部４は添付図面に示す実施形態では弾性変形自在なＬ状をしていてＬ状の一片部が先端が覆い片部６の裏面中央に一体に連設した袖壁用笠木２の長手方向の端面に固定するための第１の固定片部７となり、Ｌ状の他片部が第１の固定片部７の他端から側方に連出した袖壁用笠木２の長手方向の端部の内面に固定するための第２の固定片部８となっている。
【００１５】
上記の構成の弾性を有する硬質合成樹脂よりなる化粧材本体１０は弾性変形性を有していて覆い片部６自体が弾性変形自在であって、覆い片部６の両端部がそれぞれ隣接する袖壁用笠木２の長手方向の端部外面に弾接するための弾接部５となっており、また、第１の固定片部７は覆い片部６に対して弾性変形自在であって覆い片部６と第１の固定片部７とのなす角度が可変でき、また、第２固定片部８が第１固定片部７に対して弾性変形自在であって、第１固定片部７と第２固定片部８とのなす角度が可変できるようになっている。
【００１６】
弾性を有する硬質合成樹脂により構成した化粧材本体１０の覆い片部６の両端部の弾接部５の先端から弾接部５の裏面側に向けて軟質合成樹脂よりなるひれ片９が一体に連出形成してある。
【００１７】
上記のような構成の継ぎ目用化粧材３は、階段の袖壁のような袖壁１の外端面に取付けられる袖壁用笠木２の端部同士の継ぎ目部分に取付けられて継ぎ目部分をカバーするものである。
【００１８】
図３には継ぎ目用化粧材３の取付けの一例が示してある。本例においては、袖壁１の上面が傾斜しており、この傾斜した袖壁１の上面部の外端面に袖壁用笠木２を取付け、該袖壁１の側端面部の垂直な外端面に別の袖壁用笠木２を取付け、両袖壁用笠木２の長手方向の端部間に上記継ぎ目用化粧材３を配設して継ぎ目部分をカバーした例であり、第２の固定片部８を一方の袖壁用笠木２の長手方向の端部の内面に当接した状態で釘やねじ具のような固着具１１により固着すると共に、山形又は弧状をした覆い片部６の一端部の弾接部５を一方の傾斜した袖壁用笠木２の長手方向の端部上面に軟質合成樹脂よりなるひれ片９を介して弾接し、且つ、覆い片部６の他端部の弾接部５を他方の垂直な袖壁用笠木２の長手方向の端部外面（上端部外面）に軟質合成樹脂よりなるひれ片９を介して弾接するようになっている。本実施形態では、先に袖壁１の側端面に他方の袖壁用笠木２を固着した後に、一方の袖壁用笠木２の第２の固定片部８を一方の袖壁用笠木２の長手方向の端部の内面に当接した状態で釘やねじ具のような固着具１１により固着し（この場合、一方の弾接部５が袖壁用笠木２の長手方向の端部上面に軟質合成樹脂よりなるひれ片９を介して弾接する）、その後、他方の弾接部５を他方の垂直な袖壁用笠木２の上端外面に軟質合成樹脂よりなるひれ片９を介して弾接させて該一方の袖壁用笠木２を袖壁１の傾斜した上面部に固着するものである。
【００１９】
図４には継ぎ目用化粧材３の取付けの他例が示してある。本例においては、袖壁１の上面部の外端面に取付ける一方の袖壁用笠木２と、袖壁１の側端部の外端面に取付ける他の袖壁用笠木２とのなす角度が前述の図３に示す例と異なる場合（図４では袖壁１の上面が水平となっている例）を示している。本例においては、第１の固定片部７を一方の袖壁用笠木２の長手方向の側端面に当接した状態で釘やねじ具のような固着具１１により固着すると共に、山形又は弧状をした覆い片部６の一端部の弾接部５を一方の袖壁用笠木２の長手方向の端部上面に軟質合成樹脂よりなるひれ片９を介して弾接し、且つ、覆い片部６の他端部の弾接部５を他方の垂直な袖壁用笠木２の長手方向の端部外面（上端面部）に軟質合成樹脂よりなるひれ片９を介して弾接するようになっている。本実施形態では、先に袖壁１の側端面に他方の袖壁用笠木２を固着した後に、一方の袖壁用笠木２の第２の固定片部８を一方の袖壁用笠木２の長手方向の端面部に当接した状態で釘やねじ具のような固着具１１により固着し（この場合、一方の弾接部５が袖壁用笠木２の長手方向の端部上面に軟質合成樹脂よりなるひれ片９を介して弾接する）、その後、他方の弾接部５を他方の垂直な袖壁用笠木２の上端面に軟質合成樹脂よりなるひれ片９を介して弾接させて該一方の袖壁用笠木２を袖壁１の上面部に固着する。また、本例では、上記の取付け順序に限定されず、一方の袖壁用笠木２を袖壁１の上面部に固着した後に、一方の袖壁用笠木２の第２の固定片部８を一方の袖壁用笠木２の長手方向の端面部に当接した状態で釘やねじ具のような固着具１１により固着し（この場合、一方の弾接部５が袖壁用笠木２の長手方向の端部上面に軟質合成樹脂よりなるひれ片９を介して弾接する）、その後、他方の袖壁用笠木２を袖壁１の側端面に固着すると共に他方の弾接部５を他方の垂直な袖壁用笠木２の上端面に軟質合成樹脂よりなるひれ片９を介して弾接させるようにしてもよい。
【００２０】
このように、本発明の継ぎ目用化粧材３を用いることで、袖壁１の上面部の外端面に取付ける一方の袖壁用笠木２と、袖壁１の側端部の外端面に取付ける他の袖壁用笠木２とのなす角度が異なっても同一種類の継ぎ目用化粧材３が弾性変形することで継ぎ目部分を隙間無くカバーでき、これにより、従来の袖壁用笠木２の長手方向の端部同士が突き合せられるもののように角度に応じて端部を斜めに切断するという手間が必要でないものである。特に、軟質合成樹脂よりなるひれ片９を介して弾接部５を弾接することで隙間無く密着することになる。
【００２１】
ここで、袖壁１は例えば図６に示すように柱部１２を一定間隔で立設し、該柱部１２の両側に面板１３を取着して構成されるもので、袖壁用笠木２はこの袖壁１の柱部１２に固着具により固着されるものである。
【００２２】
ところで、上記のように第１の固定片部７を一方の袖壁用笠木２の長手方向の側端面に当接した状態で釘やねじ具のような固着具１１により固着する場合には図５に示すように第２の固定片部８を第１の固定片部７からの連出部分から切断除去してもよい。
【００２３】
なお、本発明の継ぎ目用化粧材３の側面は任意の手段により適宜塞ぐものであり、例えば、現場で別部材の側面板で塞ぐものである。
【図面の簡単な説明】
【００２４】
【図１】本発明の継ぎ目用化粧材の側面図である。
【図２】同上の斜視図である。
【図３】同上の一施工例を示す側面図である。
【図４】同上の他の施工例を示す側面図である。
【図５】同上の更に他の施工例を示す側面図である。
【図６】同上の袖壁の部分斜視図である。
【図７】従来例の側面図である。
【図８】他の従来例の側面図である。
【符号の説明】
【００２５】
１  袖壁
２  袖壁用笠木
３  継ぎ目用化粧材
４  固定部
５  弾接部
６  覆い片部
７  第１の固定片部
８  第２の固定片部
９  ひれ片
【図１】
2005281977.tif 000003
【図２】
2005281977.tif 000004
【図３】
2005281977.tif 000005
【図４】
2005281977.tif 000006
【図５】
2005281977.tif 000007
【図６】
2005281977.tif 000008
【図７】
2005281977.tif 000009
【図８】
2005281977.tif 000010